(57)【要約】【課題】ＩＣタグを内蔵したハンドストラップであって、取扱いによるＩＣタグの破損を防止するようにした携帯電話用ハンドストラップを提供すること。【解決手段】硬質な樹脂からなるチューブ１の中程に溶着部３を形成し、そのチューブ１の片側の中空部にＩＣタグインレット２を入れた状態で溶着部３のところで二つ折りし、一方の端部に折返し部４を形成した状態で両方の端部同士を固定具５で止め、折返し部４のところを通る取付具６を介して紐７を取り付けた構成とする。ＩＣタグインレットが硬質な樹脂からなるチューブの中に遊びを持った状態で収納されるので、取扱い時にチューブが曲がっても、その曲げ度合いにＩＣタグインレットが追従せず、ＩＣタグインレットに大きな応力が加わるようなことがなく、したがってＩＣチップやアンテナ接合部に故障や断線を生じてＩＣタグが破損するのを防止することができる。【選択図】図１
2006247083.tif 000002
【特許請求の範囲】
【請求項１】
硬質な樹脂からなるチューブの中程に溶着部を形成し、そのチューブの片側の中空部にＩＣタグインレットを入れて溶着部のところで二つ折りし、両方の端部同士を接合してその接合部のところに携帯電話へ取り付けるための紐を接続したことを特徴とする携帯電話用ハンドストラップ。
【請求項２】
請求項１に記載の携帯電話用ハンドストラップにおいて、一方の端部に折返し部を形成した状態で両方の端部同士を固定具で接合し、折返し部のところを通る取付具を介して紐を接続したことを特徴とする携帯電話用ハンドストラップ。
【請求項３】
請求項１又は２に記載の携帯電話用ハンドストラップにおいて、硬質な樹脂として塩化ビニル又はポリウレタンを用いたことを特徴とする携帯電話用ハンドストラップ。
【発明の詳細な説明】
【技術分野】
【０００１】
本発明は、携帯電話に取り付けて使用される携帯電話用ハンドストラップに関するものである。
【背景技術】
【０００２】
近年、携帯電話が広く普及しているが、いずれの携帯電話にもそれを持つ時の取っ掛かりの役目を果たす所謂ハンドストラップが取り付けられている。そして、携帯電話の購入時には簡単な紐タイプのハンドストラップがセットになっているが、使用者の好みによって別のハンドストラップに取り替えることが多い。このようなハンドストラップとして、単なる飾りではなく、最近では種々の機能を持たせたものが多くなっている。
【特許文献１】特開平１０−２０１５２１号公報
【特許文献２】特開２０００−１３４２９４号公報
【発明の開示】
【発明が解決しようとする課題】
【０００３】
ところで、携帯電話がこれだけ広く普及したこともあって、携帯電話にＩＣタグを付けて携帯電話の用途を広げることが種々提案されており、一部では次のようなことが実際に行われている。例えば、携帯電話に付いたＩＣタグをスーパーの入口でリーダーにかざすことによりメールで配信された特売品やレシピの情報が液晶画面で見られたり、イベント会場の入口でリーダーにかざすと会場案内が得られたりポイントが付いたりという具合に、ＩＣタグを付けることにより携帯電話の機能を有効に利用するのである。
【０００４】
そして、携帯電話にＩＣタグを付ける方法としては、ＩＣタグをラミネートしたプラスチック板を準備し、これをハンドストラップに接続する方法が通常であるが、ハンドストラップ自体にＩＣタグを内蔵させると一石二鳥となって便利であり、これを商品として販売するのはもちろん、販促用のグッズとしても有効である。
【０００５】
そこで、最近開発された、アンテナがダイポール型の細長いＩＣタグをハンドストラップに内蔵することが考えられる。この場合、通常は、細長いフィルムにＩＣタグインレットを挟んで周囲を溶着し、これを紐のように曲げて端部同士を固定具で止めることでハンドストラップの携帯にする方法が採られる。ところが、この方法でＩＣタグを内蔵したものは、携帯電話の取扱い時にハンドストラップの曲がりによりＩＣタグインレットにストレスが加わってしまい、ＩＣチップや接合部の故障、断線が生じてＩＣタグが破損することになる。フィルムとＩＣタグインレットの間に発泡ウレタン等のクッション材を挿入する方法もあるが、完全な対策にはならず、また材料費と工程増によるコストアップに繋がってしまう。
【０００６】
本発明は、このような問題点に鑑みてなされたものであり、その目的とするところは、ＩＣタグを内蔵したハンドストラップであって、取扱いによるＩＣタグの破損を防止するようにした携帯電話用ハンドストラップを提供することにある。
【課題を解決するための手段】
【０００７】
上記の目的を達成するため、本発明の携帯電話用ハンドストラップは、硬質塩化ビニルからなるチューブの中程に溶着部を形成し、そのチューブの片側の中空部にＩＣタグインレットを入れて溶着部のところで二つ折りし、両方の端部同士を接合してその接合部のところに携帯電話へ取り付けるための紐を接続したことを特徴としている。
【０００８】
そして、上記構成の携帯電話用ハンドストラップにおいて、一方の端部に折返し部を形成した状態で両方の端部同士を固定具で接合し、折返し部のところを通る取付具を介して紐を接続するのが好ましい。
【０００９】
また、上記構成の携帯電話用ハンドストラップにおいて、硬質な樹脂として塩化ビニル又はポリウレタンを用いることが好ましい。
【発明の効果】
【００１０】
本発明の携帯電話用ハンドストラップは、ＩＣタグインレットが硬質な樹脂からなるチューブの中に遊びを持った状態で収納されていることにより、取扱い時にチューブが曲がっても、その曲げ度合いにＩＣタグインレットが追従しないことから、ＩＣタグインレットに大きな応力が加わるようなことがなく、したがってＩＣチップやアンテナ接合部に故障や断線を生じてＩＣタグが破損するのを防止することができる。また、固定具にハトメなどを用いて端部同士を確りと止めることで、チューブの中に密閉状態で封入されることになり、水や湿度の影響を受けることがなく、この点においても、ＩＣタグの破損が防止される。また、取扱い時に多少の外力が加わっても、中のＩＣタグインレットに影響を与えない。
【発明を実施するための最良の形態】
【００１１】
以下、具体例を挙げて本発明の実施の形態について説明する。
【００１２】
図１は本発明に係る携帯電話用ハンドストラップの一例を示す外観図、図２は図１の携帯電話用ハンドストラップをテーブル等の上に置いて上方から見た状態を示す平面図である。
【００１３】
この携帯電話用ハンドストラップＡは、硬質塩化ビニルからなるチューブ１で構成され、そのチューブ１の中にＩＣタグインレット２を内蔵している。具体的には、所定長さの硬質塩化ビニル製のチューブ１を用意し、そのチューブ１の中程に該チューブ１を直角に横断する溶着部３を形成してから、片側の中空部にＩＣタグインレット２を入れて溶着部３のところで二つ折りし、両方の端部同士を接合してその接合部のところに携帯電話へ取り付けるための紐７を接続してある。
【００１４】
図示の携帯電話用ハンドストラップＡでは、一方の端部に折返し部４を形成した状態で両方の端部同士を固定具５で接合し、折返し部４のところを通る三角形の取付具６を介して紐７を取り付けた構造になっている。折返し部４のところに紐７を直接取り付けることも考えられるが、紐７はリング付きで供給されるし、チューブ１の折返し部４は幅があるので、図示のように取付具６を介して接続するのが好ましい。
【００１５】
本発明で使用するＩＣタグインレット２は、０．４ｍｍ四方の小さなミューチップ２ａを長さ５３ｍｍの外部アンテナに装着してテープ状としたもので、大量生産され、安価なＩＣタグとして供給されているものである。
【００１６】
チューブ１の材料である硬質塩化ビニルは、無可塑かあるいは極少量の可塑剤を含む公知のものであり、着色でも無着色でもよく、また透明でも不透明でもよい。用途に応じて適宜のものを採用すればよいが、透明の方が図示の如く中のＩＣタグインレット２が透けて見えるので、利用者にとってはＩＣタグ付きハンドストラップという実感がある。
【００１７】
一本のチューブ１を閉じた形状にするため、溶着部３の反対側では端部同士を固定する必要がある。図示の例では、折返し部４の間に他方の端部を挟むようにして固定具５で止めているが、折返し部４の外側に他方の端部を重ねるようにしてもよい。固定具５はハトメを使用すればよく、このように固定具５にハトメを用いて端部同士を確りと止めることで、ＩＣタグインレット２はチューブ１の中に密閉状態で封入される。また、この折返し部４を利用して紐７の取付具６を取り付けている。
【００１８】
このように、腰のある硬質塩化ビニル製のチューブ１の中程に溶着部３を設けて二つ折りにしたことで、チューブ１は円形になることなく直線に近い紡錘形となる。そして、その片側の中空部にＩＣタグインレット２を封入しているので、ＩＣタグインレット２はある程度の直線性が保たれた状態でチューブ１に収納される。また、硬質塩化ビニル製のチューブ１は、全体に撓むことはあっても、余程の力が加わらない限り円形断面は維持される。したがって、ハンドストラップとしての取扱い時に多少の外力が加わっても、中のＩＣタグインレット２に大きな外力が加わることはない。
【００１９】
以上、具体例を挙げて本発明を説明したが、本発明による携帯電話用ハンドストラップは、上記の例に何ら限定されるものではなく、本発明の趣旨を逸脱しない範囲において種々の変更が可能であることは当然のことである。
【００２０】
例えば、上記の例ではチューブ１の素材に硬質塩化ビニルを使用したが、同様の機能を有するポリウレタンを用いてもよいし、その他の硬質樹脂を用いることも可能である。
【図面の簡単な説明】
【００２１】
【図１】本発明に係る携帯電話用ハンドストラップの一例を示す外観図である。
【図２】図１の携帯電話用ハンドストラップをテーブル等の上に置いて上方から見た状態を示す平面図である。
【符号の説明】
【００２２】
Ａ  携帯電話用ハンドストラップ
１  チューブ
２  ＩＣタグインレット
３  溶着部
４  折返し部
５  固定具
６  取付具
７  紐
【図１】
2006247083.tif 000003
【図２】
2006247083.tif 000004